(57)【要約】      （修正有）【課題】水素分子のナノバブルを含む水を生成するように構成された装置の提供。【解決手段】バルブ１によって水供給源に接続され、加圧水をベンチュリ気液ミキサ３へ供給するポンプ２を備え、ベンチュリ気液ミキサ３はまた、水素ガス５の供給も受ける装置１０。混合された水素ガス／水の流れは、空洞現象を使用して、水中に水素のナノバブルを生成するナノバブル生成装置４へ提供される。水素ナノバブルは、２００ｎｍ未満の直径及び最高１．２ｐｐｍの濃度を有する。さらに濃度は、少なくとも１２時間にわたって出力濃度の８５％のままである。【選択図】図１
2020104087.tif 000002
【特許請求の範囲】
【請求項１】
水素分子のナノバブルを含む水を生成するように構成された装置であって、
使用の際に水源に接続される入力コネクタと、
前記入力コネクタを介した前記装置への水の流れを制御するバルブと、
前記バルブの下流に位置し、前記バルブが開いているときの加圧水の流れ及び水素ガス源からの水素ガスの流れを受け取るように構成され、気水ミキサ装置が、混合された水素ガス／水の出力流を生成するベンチュリ気液ミキサと、
前記ベンチュリミキサの出力に接続された前記混合された水素ガス／水の流れを受け取り、空洞現象機構を使用して水素ナノバブルを生成するナノバブル生成装置とを備え、前記ナノバブル生成装置は、０．８〜１．２ｐｐｍの出力濃度で２００ｎｍ未満の直径を有する水素ナノバブルを含む出力水素水の流れを作り出し、前記濃度は、少なくとも１２時間にわたって前記出力濃度の８５％の範囲内のままである、装置。
【請求項２】
前記濃度は、少なくとも１５時間にわたって前記出力濃度の８５％の範囲内のままである、請求項１に記載の装置。
【請求項３】
前記濃度は、少なくとも１８時間にわたって前記出力濃度の６３％の範囲内のままである、請求項１又は２に記載の装置。
【請求項４】
前記濃度は、少なくとも２０時間にわたって前記出力濃度の５０％の範囲内のままである、請求項１、２、又は３に記載の装置。
【請求項５】
前記濃度は、少なくとも２４時間にわたって前記出力濃度の３７％の範囲内のままである、請求項１、２、３、又は４に記載の装置。
【請求項６】
前記出力水を少なくとも１バールに加圧するように前記バルブと前記ベンチュリ気液ミキサとの間に接続されたポンプをさらに備える、請求項１〜５のいずれか一項に記載の装置。
【請求項７】
前記ポンプは、前記出力水を１〜３バールに加圧する、請求項６に記載の装置。
【請求項８】
前記ポンプは、１００Ｗ未満の定格を有する、請求項６又は７に記載の装置。
【請求項９】
前記ベンチュリ気液ミキサは、０．５〜１．５ｍ／秒の速度及び１．５〜２．５Ｌ／分の流量で混合された水素ガス／水の出力流を生成する、請求項１〜８のいずれか一項に記載の装置。
【請求項１０】
前記水素ガス源は、水素ガスを収容するガスボトル及びレギュレータである、請求項１〜９のいずれか一項に記載の装置。
【請求項１１】
前記装置は、ハウジングをさらに備え、前記ハウジング内に、前記ガスボトル、存在する場合は前記ポンプ、前記ベンチュリ気液ミキサ、及び前記ナノバブル生成装置が収容され、前記ハウジングは、４００ｍｍ×４５０ｍｍ×２００ｍｍ以下の寸法を有する、請求項１０に記載の装置。
【請求項１２】
前記装置は、ハウジングをさらに備え、前記ハウジング内に、存在する場合は前記ポンプ、前記ベンチュリ気液ミキサ、及び前記ナノバブル生成装置が収容され、前記ガスボトルは、前記ハウジングの外部に位置し、調整された接続を介して調整された水素ガスを前記装置へ供給する、請求項１０に記載の装置。
【請求項１３】
前記水素ガス源は、水素ガスを収容するガスボトル及びレギュレータである、請求項１０に記載の装置。
【請求項１４】
前記ベンチュリ気液ミキサへ提供される前記水の温度を低減又は増大させるように前記ベンチュリ気液ミキサの前に位置する温度制御装置をさらに備える、請求項１〜１３のいずれか一項に記載の装置。
【請求項１５】
水素分子のナノバブルを含む水を生成する方法であって、
少なくとも１バールの圧力を有する水の入力流を受け取るステップと、
水素ガスの入力流を受け取るステップと、
ベンチュリ気液ミキサ内で前記水の入力流を前記水素ガスの入力流と混合し、混合された水素ガス／水の出力流を生成するステップと、
ナノバブル生成装置内で空洞現象機構を使用して水素ナノバブルを生成するステップとを含み、前記ナノバブル生成装置は、前記混合された水素ガス／水の流れを受け取り、０．８〜１．２ｐｐｍの出力濃度で２００ｎｍ未満の直径を有する水素ナノバブルを含む出力水素水の流れを作り出し、前記濃度は、少なくとも１２時間にわたって前記出力濃度の８５％の範囲内のままである、方法。
【請求項１６】
前記濃度は、少なくとも１５時間にわたって前記出力濃度の８５％の範囲内のままである、請求項１５に記載の方法。
【請求項１７】
前記濃度は、少なくとも１８時間にわたって前記出力濃度の６３％の範囲内のままである、請求項１５又は１６に記載の方法。
【請求項１８】
前記濃度は、少なくとも２０時間にわたって前記出力濃度の５０％の範囲内のままである、請求項１５、１６、又は１７に記載の方法。
【請求項１９】
前記濃度は、少なくとも２４時間にわたって前記出力濃度の３７％の範囲内のままである、請求項１５、１６、１７、又は１８に記載の方法。
【請求項２０】
前記入力水は、１〜３バールの圧力を有し、水供給源に接続されたポンプによって提供される、請求項１５〜１９のいずれか一項に記載の方法。
【請求項２１】
前記ベンチュリ気液ミキサは、０．５〜１．５ｍ／秒の速度及び１．５〜２．５Ｌ／分の流量で混合された水素ガス／水の出力流を生成する、請求項１５〜２０のいずれか一項に記載の方法。
【発明の詳細な説明】
【発明の詳細な説明】
【０００１】
［技術分野］
[0001]本開示は、一般に、水中に水素分子の超微細気泡を生成する装置に関する。詳細には、本開示は、水素が長時間にわたって溶解したまま留まっている水素飲料水を分注する装置に関する。
【０００２】
［背景］
[0002]Ｄｒ．Ｏｈｔａ  Ｓｈｉｇｅｏ研究室による２００７  Ｎａｔｕｒｅ  Ｍｅｄｉｃｉｎｅの論文（Ｏｈｓａｗａら、Ｎａｔｕｒｅ  Ｍｅｄｉｃｉｎｅ  １３、６８８〜６９４（２００７）、ｄｏｉ：１０．１０３８／ｎｍ１５７７）によると、水素分子（Ｈ２）は、細胞に有毒な酸素ラジカルを選択的に低減させることによって治療用の抗酸化物質として作用することが分かったため、健康及び医療産業における治療への応用のために水素水、すなわち溶解した水素分子（Ｈ２）を含む水を使用することに、大きな関心が集まっている。さらに基礎的及び臨床的研究によって、水素水は細胞及び臓器に抗酸化及び抗炎症作用をもたらす重要な生理学的制御因子であることが示唆されており、生活習慣病を防止又は軽減するのに効果的であると考えられている。
【０００３】
[0003]摂取を増やし、したがって潜在的な治療上の利益を増大させるため、即座に又は後に（たとえば、翌日にかけて）消費するために、要求に応じて室温で水素気泡水を作り出し、蛇口又はウォーターディスペンサによって供給できることが望ましいはずである。しかし、水中の水素の溶解性が低く、水素は長時間にわたって水中に溶解したまま留まらないため、要求に応じて水素水を生成するにはいくつかの難点がある。水素水を生成するいくつかの方法が開発されてきたが、これらにもいくつかの問題がある。
【０００４】
[0004]たとえば、米国特許出願公開第２０１２００８７９９０（Ａ１）号は、カルシウムイオン及びマグネシウムイオンの一方又は両方を含む水を金属（たとえば、マグネシウム）又は金属酸化物水素分子解離吸着触媒に接触させて、水中の活性水素の濃度を増大させることを提案している。しかしこれには水の前処理、金属触媒の頻繁な交換が必要であり、水に余計な添加物が残る。米国特許出願公開第２０１３００４３１２４（Ａ１）号は、電解槽への直流電力とともに陽子交換膜（ＰＥＭ）を使用する。ＰＥＭ電解槽システムは、水素水を生成するために複雑な要素を必要とし、そのため保守コストが高く、頻繁な整備が必要であり、水中に余計な添加物が残る。米国特許出願公開第２０１７００６５９４０（Ａ１）号は、電気分解を使用して水素ガスを生成し、膜ポンプを使用して圧力下で水素ガスを水中に溶解させる再循環システムを記載している。しかしこのシステムは、溶解した水素を増大及び維持するために、水を連続的に再循環させる必要がある。他の物理的な方法は、乱流を使用して水素ガス及び液体を混合して水素を溶解させ、又は加圧溶解を使用し、圧縮器、超音波、若しくは衝撃波を使用してガスを液体中に強制的に溶解させ、空洞現象を生じさせ、水素気泡を形成することを含む。しかし、水中の水素の溶解性が低いため、これらの装置は多くの場合複雑であり、水素は長期間にわたって（すなわち何時間も）水中に溶解したまま留まらない。
【０００５】
[0005]したがって、何時間も水中に溶解したまま留まる超微細水素分子を生成する簡単な装置を提供すること、又は少なくとも既存の装置に対する有用な代替手段を提供することが必要とされている。
【０００６】
［概要］
[0006]第１の態様によれば、水素分子のナノバブルを含む水を生成するように構成された装置が提供され、この装置は、
使用の際に水源に接続される入力コネクタと、
入力コネクタを介した装置への水の流れを制御するバルブと、
バルブの下流に位置し、バルブが開いているときの加圧水の流れ及び水素ガス源からの水素ガスの流れを受け取るように構成され、気水ミキサ装置が、混合された水素ガス／水の出力流を生成するベンチュリ気液ミキサと、
ベンチュリミキサの出力に接続された混合された水素ガス／水の流れを受け取り、空洞現象機構を使用して水素ナノバブルを生成するナノバブル生成装置とを備え、ナノバブル生成装置は、０．８〜１．２ｐｐｍの出力濃度で２００ｎｍ未満の直径を有する水素ナノバブルを含む出力水素水の流れを作り出し、この濃度は、少なくとも１２時間にわたって出力濃度の８５％のままである。
【０００７】
[0007]一形態では、濃度は、少なくとも１５時間にわたって出力濃度の８５％の範囲内、及び／又は少なくとも１８時間にわたって出力濃度の６３％の範囲内、及び／又は少なくとも２０時間にわたって出力濃度の５０％の範囲内、及び／又は少なくとも２４時間にわたって出力濃度の３７％の範囲内のままである。
【０００８】
[0008]一形態では、装置は、出力水を少なくとも１バールに加圧するようにバルブとベンチュリ気液ミキサとの間に接続されたポンプをさらに備える。一形態では、ポンプは、出力水を１〜３バールに加圧する。一形態では、ポンプは、１００Ｗ未満の定格を有する。
【０００９】
[0009]一形態では、ベンチュリ気液ミキサは、０．５〜１．５ｍ／秒の速度及び１．５〜２．５Ｌ／分の流量で混合された水素ガス／水の出力流を生成する。
【００１０】
[0010]一形態では、水素ガス源は、水素ガスを収容するガスボトル及びレギュレータである。
【００１１】
[0011]一形態では、装置は、ハウジングをさらに備え、ハウジング内に、ガスボトル、存在する場合はポンプ、ベンチュリ気液ミキサ、及びナノバブル生成装置が収容され、ハウジングは、４００ｍｍ×４５０ｍｍ×２００ｍｍ以下の寸法を有する。
【００１２】
[0012]一形態では、装置は、ハウジングをさらに備え、ハウジング内に、存在する場合はポンプ、ベンチュリ気液ミキサ、及びナノバブル生成装置が収容され、ガスボトルは、ハウジングの外部に位置し、調整された接続を介して調整された水素ガスを装置へ供給する。さらなる形態では、水素ガス源は、水素ガスを収容するガスボトル及びレギュレータである。
【００１３】
[0013]一形態では、装置は、ベンチュリ気液ミキサへ提供される水の温度を低減又は増大させるようにベンチュリ気液ミキサの前に位置する温度制御装置をさらに備える。
【００１４】
[0014]第２の態様によれば、水素分子のナノバブルを含む水を生成する方法が提供され、この方法は、
少なくとも１バールの圧力を有する水の入力流を受け取るステップと、
水素ガスの入力流を受け取るステップと、
ベンチュリ気液ミキサ内で水の入力流を水素ガスの入力流と混合し、混合された水素ガス／水の出力流を生成するステップと、
ナノバブル生成装置内で空洞現象機構を使用して水素ナノバブルを生成するステップとを含み、ナノバブル生成装置は、混合された水素ガス／水の流れを受け取り、０．８〜１．２ｐｐｍの出力濃度で２００ｎｍ未満の直径を有する水素ナノバブルを含む出力水素水の流れを作り出し、この濃度は、少なくとも１２時間にわたって出力濃度の８５％のままである。
【００１５】
[0015]一形態では、濃度は、少なくとも１５時間にわたって出力濃度の８５％の範囲内、及び／又は少なくとも１８時間にわたって出力濃度の６３％の範囲内、及び／又は少なくとも２０時間にわたって出力濃度の５０％の範囲内、及び／又は少なくとも２４時間にわたって出力濃度の３７％の範囲内のままである。
【００１６】
[0016]一形態では、入力水は、１〜３バールの圧力を有し、水供給源に接続されたポンプによって提供される。
【００１７】
[0017]一形態では、ベンチュリ気液ミキサは、０．５〜１．５ｍ／秒の速度及び１．５〜２．５Ｌ／分の流量で混合された水素ガス／水の出力流を生成する。
【００１８】
[0018]本開示の実施形態について、添付の図面を参照して論じる。
【図面の簡単な説明】
【００１９】
【図１】一実施形態による水素分子の超微細気泡を含む水を生成するように構成された装置１０の概略図である。
【図２Ａ】一実施形態によるナノバブル生成装置の一実施形態の断面図である。
【図２Ｂ】一実施形態によるナノバブル生成装置の管状部材内に翼形突出部材が収容されている、円筒体の斜視図である。
【図３】水素分子の超微細気泡を含む水を生成するように構成された装置の一実施形態から生成される溶解水素ナノバブルの濃度を時間の関数として示すグラフである。
【００２０】
[0023]以下の説明では、図全体にわたって、同様の参照文字は同様の又は対応する部分を指す。
【００２１】
［実施形態の説明］
[0024]図１を次に参照すると、水素分子の超微細気泡を含む水を生成するように構成された装置１０が示されている。入力水又は原水（たとえば、蛇口又は供給水）が入力接続（ａ）で使用者制御バルブ（１）へ供給され、使用者制御バルブ（１）は、ブースタポンプ（２）及び後続の構成要素へ水を供給するために使用者によって開かれる。ブースタポンプ（２）は、出口（Ｐ）で高圧水流を生成し、この高圧水流は、ベンチュリミキサ入口接続でベンチュリ気液混合デバイス（３）へ供給される。一実施形態では、ブースタポンプは、水を少なくとも１バールに加圧する。一実施形態では、ブースタポンプは、１００ワット未満の定格を有する小型のポンプであり、１〜３バールの範囲内の圧力を生成する。ベンチュリ気液混合デバイス（３）はまた、水素分子Ｈ２ガス（５）の供給を供給源から受け取る。この実施形態では、供給源は、レギュレータ（Ｒ）を有する加圧ガスボトルであり、０．８〜１．５Ｌ／分の流量を生成する。
【００２２】
[0025]ベンチュリ気液混合デバイス（５）は、水素ガス及び水を混合（ベンチュリ効果を使用）して、高速で低流量の混合された水素ガス／水の流れをナノバブル生成装置（４）の入力接続へ送達する。一実施形態では、出力水素ガス／水の噴射は、約０．５〜１．５ｍ／秒の（速い）速度及び１．５〜２．５Ｌ／分の（低い）流量を有する。
【００２３】
[0026]ナノバブル生成装置は、装置を通る入力水素ガス／水を回転させ、空洞現象を使用して水素をナノバブルとして水中に溶解させ、水素分子の超微細ナノバブルを含む水の出力流を出力（ｂ）に生成する。この装置を使用して、常気圧（１気圧）及び室温（摂氏２５度）で水素水を生成することができ、水素分子（Ｈ２）は、最高１．２ｐｐｍの濃度を有し、長時間にわたって溶解したまま留まる。
【００２４】
[0027]一実施形態では、ナノバブル生成装置４は、「ＡＮ  ＡＰＰＡＲＡＴＵＳ  ＦＯＲ  ＧＥＮＥＲＡＴＩＮＧ  ＮＡＮＯＢＵＢＢＬＥＳ」という名称の国際公開第２０１４２０４３９９号に記載されている装置の一実施形態である。この装置４は、長手方向シャフトを含む管状部材２０を備え、管状部材２０は、円筒体１６と、円錐形ガイドとして形成された第１の端部１２及び第２の端部１４とを有する。円錐形ガイドは、入力２２のベンチュリガイドから出力２４の流体分注取付具への流体の流れを流線形にする。円筒体は、複数の円板１７から形成された長手方向シャフトから径方向に突出する翼形突出部材１９を含む。翼形突出部材は、突出部材が互いに重複しないで各突出部材間にわずかな間隙を残すように、円板部材の外周面上に所定の形で配置される。管状部材は、末端部２３に接続する円筒形のハウジング２１として形成される。シャフト及び突出部材の直径は、管状部材２０内の流体の流れを翼形突出部材１９に密接して維持するために、管状部材２０の内径よりわずかに小さい。図２Ａは、ナノバブル生成装置４の一実施形態の断面図であり、図２Ｂは、円筒体１６の斜視図であり、管状部材２０内に収容された翼形突出部材１９が、２２ｍｍの直径×１８０ｍｍの長さを有する。
【００２５】
[0028]混合された水素ガス及び水は、管状部材３０の流体供給入口２２を通って（たとえばベンチュリミキサ３）から流れるとき、長手方向シャフト２２の入口の近位に位置する円錐形ガイド１２によって案内され、本体１６の翼形突出部材１９へ送出される。流体の流れが２つの翼形突出部材１９間の流路を通過するとき、翼形突出部材１９を通過するにつれて流体の流れの速度が増大するため、流体は収束してベンチュリ効果を受ける。流体の流れは、流路を離れると、その経路内で別の翼形突出部材１９からの分散する流れに当たり、この流体の流れは分割されて後続の流路を通る。複数の流路を通って流体の収束及び分散する流れを繰り返すことで、速度及び圧力の変動が生じ、渦の形成が加速する。これはコアンダ効果として知られている。これにより、複数の流路を通る流体の流れから生じる激しい旋回から水素ガスのナノバブルの空洞現象がもたらされる。流体の流れは、流路を通って渦を巻き、管状部材の出口２４で円錐形のガイド１４によって案内される。管状部材２０から出る流体の流れは、多数のナノバブルを含む。
【００２６】
[0029]ナノバブル生成装置４が前述した構成要素と組み合わされたとき、非常に濃縮された水素分子の超微細気泡を最高１．２ｐｐｍの濃度で室温水中に溶解させることができる。さらに、超微細水素気泡は、長時間にわたって水素水中に溶解したまま留まる。この装置の一実施形態を使用して水素気泡水のサンプルを生成し、このサンプルを室温で露出したまま放置し、水素の濃度を３２時間にわたって繰返し測定した。以下の表１は、測定濃度を時間の関数として示す表であり、図３は、水素分子（Ｈ２）の濃度３０を時間の関数として分単位で示すグラフである。
【００２７】
【表１】
2020104087.tif 000003
【００２８】
[0030]表１及び図３から分かるように、水素分子の最初の濃度は１．０９ｐｐｍであった（気泡の直径は２００ｎｍ以下）。濃度曲線３０の第１の部分３１から、濃度が最初の６０分間で１．０９ｐｐｍから０．９５ｐｐｍにほぼ線形に減少したことが分かる。これは、８７％の相対濃度に対して１３％の低減である。１時間から９時間（６０分から９００分）までの濃度曲線３０の第２の部分３２では、濃度は極めて安定したままであり、検出可能な減少は見られなかった（測定誤差の範囲内）。すなわち、８時間にわたって濃度の変化は検出されず、最初の１５時間（９００分）にわたって濃度は常に最初の濃度の８５％より大きく、すなわち生成後の最初の１５時間にわたって０．９２７ｐｐｍより大きかった。
【００２９】
[0031]濃度曲線の第３の部分３３で（１５時間後）、濃度はほぼ指数関数的に減衰した後、約１６００分（約２７時間）で平らになった。この減衰をモデル化するために、９００分（１５時間）から１６３５分（２７．３時間）までのデータに指数関数的減衰曲線を適合させた。
ｙ＝４．０１４２ｅ−０．００１６ｔ｛ｔ：９００＜ｔ＜１６３５｝  等式１
【００３０】
[0032]この適合に対するＲ２の値は０．９６１であり、９８％という極めて高い（良好な）相関係数を示した。等式１を逆にして使用し、閾値（及び時定数）を推定することができ、以下の表２は、７５％、６３％（１−１／ｅ）、５０％、３７％（１／ｅ）、及び２５％（分及び時間単位）の濃度低減に対する推定値を列挙する。破線３４は、等式１に応じた第３の部分３３に対する指数適合を示し、この範囲内のデータ点（及び区分的に線形曲線３０）を厳密にたどっており、これは高い相関係数に一貫している。
【００３１】
【表２】
2020104087.tif 000004
【００３２】
[0033]したがって、この減衰の時定数は、３７％（又は１／ｅ）の値によって与えられ、これは２４時間（１４４０分）である。このデータはまた、０．９５８（ｙ＝−０．０００８６９９ｔ＋１．６９１２６）というＲ２の値を有する線形適合によっても十分に説明されるが、これは、減衰領域中の経過時間値を最高５％延ばす傾向があった（たとえば、７５％、６３％、５０％の線形推定値はそれぞれ１６．７、１９．２、及び２２時間であった）。
【００３３】
[0034]装置の実施形態は、１気圧及び摂氏２５度の室温で動作し、０．９〜１．２ｐｐｍの濃度及び２００ｎｍ以下の気泡径を有する水素気泡水を生成する。この装置の実施形態は、標準的な水供給源に接続することができ、使用者は水供給バルブ（たとえば、蛇口）１を操作して、水が装置を通って流れることを可能にし、要求に応じて水素分子の超微細気泡を含む水素水を生成することができる。この装置の実施形態は比較的簡単で小型であり、ハウジング又は食器棚内で蛇口付近に位置することができ、家庭又は職場に６００ｍｍ×５００ｍｍ×３００ｍｍの範囲内で設置することができる。一実施形態では、ハウジングは、４００ｍｍ×４５０ｍｍ×２００ｍｍ以下の寸法を有する。一実施形態では、水素ガスボトル５は、他の構成要素とともにハウジング内に含まれる。別の実施形態では、水素ガスボトル５は、ハウジングを収容する建物の外部など、ハウジングから離して保管することもでき、ガス供給ラインを介してガスを供給することができる。
【００３４】
[0035]この装置の他の変形形態も可能である。たとえば、水を冷却するために、温度制御装置を含むことができる。この実施形態では、入力水は、マイクロコントローラ又は電子制御回路の制御下で、熱交換器及び冷却剤に接触しているコイルに通される。好ましくは、温度制御装置は、ベンチュリミキサ３の前（上流）に位置し、したがって水は、水素ガスに接触する前に所望の温度になる。このようにして、冷却式水素ウォーターディスペンサを家庭又は職場に提供することができる。別の実施形態では、熱交換器を使用して、水を加熱することができる（冷却剤を加熱要素に置き換える）。別の実施形態では、ベンチュリミキサに対して３バール以上の適当な圧力で水がコネクタ（ａ）を介して供給される場合、ポンプ（２）を省略することができる。
【００３５】
[0036]別の実施形態では、水素ガスボトル５を、外部源若しくはリザーバからの供給ラインなどの代わりの水素源に置き換えることができ、又は別法として、水素ガス生成装置が必要な場合に水素ガスを提供することができる。たとえば、水素ガス生成装置は、電気分解に基づいて水素ガスを生成及び供給するデバイスであり、リザーバ及びポンプを有する。
【００３６】
[0037]別の実施形態では、ベンチュリ水−ガスミキサを、約０．５ｍ／秒及び１．５Ｌ／分の流量などの適した圧力及び流量で水ガス流をナノバブル生成装置に供給することができる代替の水−ガス混合装置に置き換えることができる。
【００３７】
[0038]別の実施形態では、混合された水素／水の入力流から２００ｎｍ未満の直径を有する水素ナノバブルを生成することが可能であることを条件として、国際公開第２０１４２０４３９９号に記載されているものからのナノバブル生成デバイスを改造することができる。
【００３８】
[0039]この装置は、要求に応じて、超微細気泡水素分子水を通常の水から直接生成し、最高１．２ｐｐｍの濃度が実現可能である。さらに、水素分子の超微細気泡は、従来技術のシステムと比較すると比較的長時間にわたって、水中に溶解したまま留まる。これにより、カップ又はフラスコを満たし、次いでこれを濃度のわずかな低減（１５％未満）だけで半日（１２時間）かけて飲むことが可能になる。さらに、分注後２４時間で消費した場合でも、濃度は３７％（０．４ｐｐｍ）のままである。加えて、この装置は簡単な構造であり、元の飲料水の特徴を変化させることなく水素水を生成する。
【００３９】
[0040]本明細書及び以下の特許請求の範囲全体にわたって、文脈上別途必要としない限り、「含む、備える（ｃｏｍｐｒｉｓｅ）」及び「含む（ｉｎｃｌｕｄｅ）」という単語、並びに「含む、備える（ｃｏｍｐｒｉｓｉｎｇ）」及び「含む（ｉｎｃｌｕｄｉｎｇ）」などの変形は、記載の整数又は整数群の包含を示唆するが、いかなる他の整数又は整数群の排除を示唆するものではないことを理解されたい。
【００４０】
[0041]本明細書におけるあらゆる従来技術の参照は、そのような従来技術が共通の一般知識の一部を形成するという何らかの形態の提案の承認ではなく、そのように見なされるべきではない。
【００４１】
[0042]本開示は、その使用において、記載されている特定の１つ又は複数の適用分野に制限されないことが、当業者には理解されよう。また本開示は、その好ましい実施形態において、本明細書に記載又は図示する特定の要素及び／又は特徴に関して制限されるものでもない。本開示は、開示する１つ又は複数の実施形態に限定されるものではなく、以下の特許請求の範囲に記載及び定義する範囲から逸脱することなく、多数の再配置、修正、及び置換えが可能であることが理解されよう。
【符号の説明】
【００４２】
１…使用者制御バルブ
２…ブースタポンプ
３…ベンチュリ気液混合デバイス
４…ナノバブル生成装置
５…水素分子Ｈ２ガス
１０…装置
１２…第１の端部
１４…第２の端部
１６…円筒体
１７…円板
１９…翼形突出部材
２０…管状部材
２１…ハウジング
２２…流体供給入口
２３…末端部
２４…出口
ａ…入力接続
ｂ…出力
Ｐ…出口
Ｒ…レギュレータ
【図１】
2020104087.tif 000005
【図２Ａ】
2020104087.tif 000006
【図２Ｂ】
2020104087.tif 000007
【図３】
2020104087.tif 000008
【外国語明細書】
2020104087000001.pdf